【手続補正書】
【提出日】平成16年5月6日(2004.5.6)
【手続補正１】
【補正対象書類名】明細書
【補正対象項目名】特許請求の範囲
【補正方法】変更
【補正の内容】
【特許請求の範囲】
【請求項１】
背景の前方で動く被写体を表すビデオ信号を発生するカメラであって、上記背景から生じた不可視周波数より上記被写体に対するカットキー信号を発生する手段よりなり、
被写体及び被写体が前方で動く背景を表すビームを、赤色光ビーム、緑色光ビーム、青色光ビーム、及び、上記不可視周波数からなるビームの４個の別々のビームに分離する光分離器と、
上記４個の別々のビームと関係し、受信した光エネルギーを電気信号に変換する第１、第２、第３、及び第４の４台の各検出装置と、
上記第１、第２及び第３の３台の検出装置により出力された電気信号を処理するように意図され、青色、赤色及び緑色の光ビームを電気色データに変換する第１の処理回路と、
不可視周波数ビームに関係した上記第４の検出器により出力された電気信号をカットキー信号に変換する第２処理回路と、からなることを特徴とするカメラ。
【請求項２】
上記第１の処理回路により出力された電気色データからビデオ信号を作成する多重化及び変調器と、
上記カットキー信号から変調されたキー信号を作成する変調器とを更に有することを特徴とする請求項１記載のカメラ。
【請求項３】
上記第１及び第２の処理回路により出力され、多重化及び変調されたデータからなる信号を作成する多重化及び変調器を更に有することを特徴とする請求項１記載のカメラ。
【請求項４】
上記第１の処理回路は、被写体と、被写体が前方で動く背景とを表すビームを関係がある輝度、青色色差及び赤色色差データである電気色データを出力する手段を含むことを特徴とする請求項３記載のカメラ。
【請求項５】
上記第１の処理回路は、上記輝度、青色色差及び赤色色差データが４：２：２フォーマットのデジタルデータとなる手段を含むことを特徴とする請求項４記載のカメラ。
【請求項６】
上記第１の処理回路は、被写体と、被写体が前方で動く背景とを表すビームを関係がある赤色、緑色及び青色の三原色信号からなる電気色データを出力する手段を含むことを特徴とする請求項２記載のカメラ。
【請求項７】
上記第１の処理回路は、上記赤色、緑色及び青色の三原色信号が４：２：２フォーマットのデジタルデータとなる手段を含むことを特徴とする請求項６記載のカメラ。
【請求項８】
デジタルデータが１０を上回るビットで符号化されることを特徴とする請求項３記載のカメラ。
【請求項９】
上記第２の処理回路は、
不可視周波数と関係した上記第４の検出器により出力された電気信号を標本化する手段と、
上記キー信号が、標本化された電気信号が閾値未満であるときに、背景は検出されていないことを示す第１の値をとり、標本化された電気信号のレベルが閾値よりも大きいときに、背景は検出されたことを示す第２の値をとるように、上記標本化する手段から出力された信号を閾値と比較する手段とからなることを特徴とする請求項１記載のカメラ。
【請求項１０】
上記第２の処理回路は、上記比較する手段により出力された信号をデジタル化するアナログ／デジタル変換器を含むことを特徴とする請求項９記載のカメラ。
【請求項１１】
上記不可視周波数からなるビームを検出する第４の検出装置は一般的に可視周波数を検出するために使用され流伝か結合装置であり、検出された不可視周波数は近赤外周波数帯域にあること特徴とする請求項１記載のカメラ。
【請求項１２】
背景から生じた可視周波数及び近赤外周波数だけを伝達するフィルタが上記光分離器の上流に設けられていることを特徴とする請求項１記載のカメラ。
【請求項１３】
第１の背景の前方で動く被写体を第２の背景の上に貼るシステムであって、
上記第１の背景の前方で動く上記被写体を表す第１のビデオ信号と、カット信号とを発生する請求項１記載のカメラと、
上記第２の背景を表す第２のビデオ信号を発生する装置と、
上記の背景の前方で動く上記被写体を表す第１のビデオ信号と、上記カットキー信号と、上記第２の背景を表す第２のビデオ信号とから、上記第２の背景の上に貼られる上記被写体を表す画像を発生するミキサとからなることを特徴とするシステム。
【請求項１４】
第１の背景の前方で動く被写体を第２の背景の上に貼るシステムであって、
上記第１の背景の前方で動く上記被写体を表す第１のビデオ信号と、カット信号とを発生し、出力される多重化信号を作成するため上記のビデオ信号と上記カット信号とを多重化する回路を含む請求項１記載のカメラと、
デマルチプレクサを含む制御ユニットと、
一方で上記第１の背景の前方で動く被写体を表す上記第１のビデオ信号を再構成し、他方でカットキー信号を再構成するため、上記多重化信号を上記デマルチプレクサに伝達する伝送線路と、
第２の背景を表す第２のビデオ信号を発生する装置と、
上記第２の背景を表す第２のビデオ信号を発生する装置と、
上記制御ユニットにより出力された第１のビデオ信号と、上記制御ユニットにより出力されたカットキー信号と、上記第２の背景を表す第２のビデオ信号とから、上記第２の背景の上に貼られる上記被写体を表す画像を発生するミキサとからなることを特徴とするシステム。
【請求項１５】
上記カメラに収容された上記第１及び第２の処理回路は、多重化回路の出力にデジタルデータを形成すべく、処理するデータをデジタル化する回路を含み、
上記カメラは、上記デジタルデータを圧縮し、実質的に上記データの一定レートを与える第１のサブユニットからなり、
上記制御ユニットは、上記デマルチプレクサにより出力されたデジタルデータを伸長し、一方で上記第１の背景の前方の被写体の画像を表すビデオ信号を再構成し、他方でカットキー信号を再構成する第２のサブユニットからなることを特徴とする請求項１４記載のシステム。
請求項１４記載のシステム。
【請求項１６】
上記カメラは、上記カメラに収容された第１のサブユニットにより出力されたデジタルデータを再構成しうる再構成回路と、デジタル変調器とが直列に取り付けられ、
上記制御ユニットは、直列に取り付けられた復調器と逆再構成回路戸からなり、上記逆再構成回路の出力は上記制御ユニット内に収容された第２のサブユニットの入力に接続されていることを特徴とする請求項１５記載のシステム。
【請求項１７】
上記カメラに収容された第１のサブユニットは、
ビデオ入力及びビデオ出力を有する第１のビデオメモリ領域と、ビデオ入力、ビデオ出力及び制御出力を有し、上記制御出力を介して上記圧縮回路の圧縮率を制御するデータ項目を発生する手段よりなるバッファメモリと、制御入力及び制御出力を有する調整回路とにより構成され、上記ビデオメモリ領域のビデオ出力は上記圧縮回路のビデオ入力に接続され、上記圧縮回路のビデオ出力は上記バッファメモリのビデオ入力に接続され、上記バッファメモリの制御出力は上記調整回路の制御入力に接続され、上記調整回路の制御出力は上記圧縮回路の制御入力に接続され、並びに、
上記制御ユニットに収容された第２のサブユニットは、入力及び出力を有する伸長回路より構成され、伸長回路の出力が第２のビデオメモリ領域の入力に接続されていることを特徴とする請求項１６記載のシステム。
【請求項１８】
上記カメラに収容された第１のビデオメモリ領域は、上記多重回路により出力されたデジタルデータが１ラインずつ書き込まれるメモリからなり、蓄積されるラインの数は少なくとも８本に一致し、
上記圧縮回路はＪＰＥＧモードで動作する回路からなり、
上記データ項目を発生する手段は、ビデオ信号の１フレームの区間にわたり上記バッファメモリに書き込まれた回数をカウントしうる計数回路と、上記回数を閾値と比較しうる比較回路とからなり、これにより、上記回数が上記閾値以上であるならば、上記データ項目は上記調整回路に上記圧縮率を増加させるよう命令し、上記回数が上記閾値未満であるならば、上記データ項目は上記調整回路に上記圧縮率を減少させるように命令し、
上記伸長回路は、入力に集められたビデオ信号を伸長するためＪＰＥＧモードにしたがって動作する回路からなり、並びに、
上記制御ユニットの上記第２のビデオメモリ領域は、少なくとも８本と一致する多数のラインを記憶し、入力に集められたデータから所望のビデオ画像を再生する手段からなることを特徴とする請求項１７記載のシステム。
【請求項１９】
上記制御ユニットは、出力される信号を、外部時間基準に対しそれ自体が同期している他のビデオ信号と同期させるため、上記第２のビデオメモリ領域に供給される同期信号を外部時間基準の影響下で発生する同期装置を更に有することを特徴とする請求項１８記載のシステム。
【請求項２０】
上記伝送線路は３軸の線路であることを特徴とする請求項１４記載のシステム。
【請求項２１】
上記伝送線路は同軸線路であることを特徴とする請求項１３記載のシステム。
【請求項２２】
上記伝送線路は２線式の線路であることを特徴とする請求項１３記載のシステム。
【請求項２３】
上記伝送腺路は、実質的に数センチメートル乃至３キロメートルの長さを有することを特徴とする請求項２０記載のシステム。